(57)【特許請求の範囲】
【請求項１】
ガラス基板のエッジに沿って実装される複数のチップ、を有するチップ・オン・グラス（ＣＯＧ）構造の液晶表示装置において、前記複数のチップとフレキシブル・プリント基板（ＦＰＣ）との接続用の配線であって、前記複数のチップに共通した共通配線を前記ガラス基板上に設け、前記共通配線と各チップのＦＰＣ接続用ピンとを接続し、前記共通配線は前記複数のチップのうちのいずれかの隣接する２つのチップ間に屈曲部を有し、前記屈曲部は前記ガラス基板の前記エッジから離れる方向に向かって凸となり、前記共通配線と前記ＦＰＣとを前記屈曲部で接続した、ことを特徴とするＣＯＧ構造の液晶表示装置。
【請求項２】
前記共通配線が、ガラス基板の端部に一列に配置した複数のチップのガラス基板端面側の側面を結んだ線よりも内側のガラス基板上に形成される請求項１記載のＣＯＧ構造の液晶表示装置。
【請求項３】
前記共通配線の数がチップのＦＰＣ接続用ピンの数と同じである請求項１記載のＣＯＧ構造の液晶表示装置。
【請求項４】
前記共通配線上に複数のチップが設けられている請求項１記載のＣＯＧ構造の液晶表示装置。
【請求項５】
前記共通配線とＦＰＣとの接続を、ガラス基板上であってチップ間の前記屈曲部で行い、平面視において前記屈曲部で共通配線とＦＰＣとを重複しないようにして接続する請求項１記載のＣＯＧ構造の液晶表示装置。
【発明の詳細な説明】
【０００１】
【発明の属する技術分野】
本発明は、ガラス基板上にチップを実装するチップ・オン・グラス（ＣＯＧ）構造の液晶表示装置に関し、特に、液晶表示パネルの狭額縁化を達成することのできる配線構造を有するＣＯＧ構造の液晶表示装置に関するものである。
【０００２】
【従来の技術】
従来から、液晶表示パネルをドライブするチップを液晶表示パネルを構成するガラス基板上に実装するチップ・オン・グラス（ＣＯＧ）構造の液晶表示装置が知られている。図４は従来のＣＯＧ構造の液晶表示装置のチップとフレキシブル・プリント基板（ＦＰＣ）との接続方法の一例を示す図である。図４に示す例において、ガラス基板５１上であって液晶表示パネルの液晶表示部分を構成するカラーフィルター５２の端部外側に、複数のチップ５３を一列に設ける。各チップ５３において、チップ５３のカラーフィルター５２側には、液晶表示パネルを構成するＴＦＴのドライブに使用する複数のＴＦＴ接続用ピン５４−１が設けられており、チップ５３のガラス基板５１の端部側には、複数のＦＰＣ接続用ピン５４−２が設けられている。ＴＦＴ接続用のピン５４−１は、液晶表示パネルのＴＦＴへ配線５６（ここでは両端の配線のみを示す）を介して接続される。ＦＰＣ接続用のピン５４−２は接続端子５７を介してＦＰＣ５８に接続される。
【０００３】
【発明が解決しようとする課題】
上述した従来のＣＯＧ構造の液晶装置では、液晶パネルの厚さを小さくできることが知られている。しかしながら、ＣＯＧ構造の液晶表示装置は、原理上ＴＡＢ（Tape Automated Bonding）方式を利用した液晶表示装置と比較して、液晶表示パネルの表示部分の面積を広くする狭額縁を実現することが難しい問題があった。すなわち、図４に示す例において、チップ５３とＦＰＣ５８とをＦＰＣ用接続端子５７を利用して接続されているため、ＦＰＣ用接続端子５７を設ける領域が狭額縁化に問題となっていた。
【０００４】
一方、ＣＯＧ構造の液晶表示装置において狭額縁化を達成する技術として、フレキシブル基板（ＦＰＣ）をチップ上に覆いかぶせて配置し、チップ間に接続端子を設け、チップ間でＦＰＣと接続する配線構造が、特開平５−１０７５５１号公報で提案されている。特開平５−１０７５５１号公報で開示された配線構造でもたしかに狭額縁化を達成できるが、ＦＰＣがチップ上に覆いかぶさるため、ＦＰＣがパネルの厚さ方向に波を打つように配置され、パネルの厚さを小さくする点で不利な問題があった。また、従来の技術と同様、すべてのチップがＦＰＣと直接接続する構造であり、接続端子の数が多くなるため、接続の信頼性に問題があった。さらに、すべてのチップ間にＦＰＣ用接続端子を設けているため、チップ間の間隙が必ず必要となり、小型化が難しくなる問題もあった。
【０００５】
本発明は上述した課題を解消して、ＣＯＧ構造であっても効果的に狭額縁化を達成することのできるＣＯＧ構造の液晶表示装置を提供しようとするものである。
【０００６】
【課題を解決するための手段】
本発明のＣＯＧ構造の液晶表示装置は、ガラス基板上にチップを実装するチップ・オン・グラス（ＣＯＧ）構造の液晶表示装置を対象とする。このＣＯＧ構造の液晶表示装置において、複数のチップとフレキシブル・プリント基板（ＦＰＣ）との接続用の共通配線をガラス基板上に設ける。そして、共通配線とＦＰＣとを、共通配線上に少なくとも１カ所で接続する。なお、本発明では、共通配線とチップのＦＰＣ接続用ピンとの接続は、ピンパッドを介して行ってもよい。
【０００７】
本発明では、チップと外部の装置との接続をするためのチップとＦＰＣとの接続を、複数のチップの共通配線をガラス基板上に設け、その共通配線に対し、少なくとも１カ所でＦＰＣを接続する構造をとることで、従来ガラス基板端部に必ず必要であったＦＰＣ接続用パッド設ける必要がなくなり、その分狭額縁化を達成できる。また、チップとＦＰＣとの接続を少なくとも１カ所で行うことで、接続端子を少なくでき、接続の信頼性を高めることができる。
【０００８】
本発明では、好ましい態様として、共通配線を、ガラス基板の端部に一列に配置した複数のチップのガラス基板端面側の側面を結んだ線よりも内側のガラス基板上に形成する。また、共通配線の数をチップのＦＰＣ接続用ピンの数と同じにする。さらに、共通配線上に複数のチップを設ける。また、共通配線とＦＰＣとの接続を、ガラス基板上であって最端部のチップの外側１カ所で行うか、ガラス基板上であってチップ間またはチップの外側の任意の複数箇所で行い、複数箇所の接続で共通配線とＦＰＣとを重複しないようにして接続する。以上の好ましい態様では、いずれの例でも、狭額縁化をより一層効果的に達成することができる。
【０００９】
【発明の実施の形態】
図１は本発明のＣＯＧ構造の液晶表示装置におけるチップとフレキシブル・プリント基板（ＦＰＣ）との接続方法の一例を示す図である。図１に示す例において、ガラス基板１上であって液晶表示部分を構成するカラーフィルター２の端部外側に、複数のチップ３を一列に設ける。各チップ３において、チップ３のカラーフィルター２側には、液晶表示パネルを構成するＴＦＴのドライブに使用する複数のＴＦＴ接続用ピン４−１が設けられており、一方、チップ３のガラス基板１の端部側には、複数のＦＰＣ接続用ピン４−２が設けられている。また、ＴＦＴ接続用のピン４−１は、液晶表示パネルのＴＦＴへ配線６（ここでは両端の配線のみを示す）を利用して接続される。以上の構成は従来のＣＯＧ構造の液晶表示装置と同じである。
【００１０】
図１に示す例において、本発明の特徴は、まず、複数のチップ３とＦＰＣ８との接続用の共通配線１１（ここでは配線の集合として示す）をガラス基板１上に設け、共通配線１１とチップ３のＦＰＣ接続用ピン４−２とを接続し、共通配線１１とＦＰＣ８とを、共通配線１１上に少なくとも１カ所設けたＦＰＣ用接続端子７を利用して接続した点である。以下、それらの構成について詳述する。
【００１１】
まず、図１に示す例では、複数のチップ３とＦＰＣ８との接続用の共通配線１１をガラス基板１上に設けている。すなわち、チップ３の下に配置されるとともにチップ３間のＦＰＣ用接続端子７−１、７−２を設けた部分ではカラーフィルター２側に屈曲した状態で、ガラス基板１上に共通配線１１を設ける。共通配線１１は、ガラス基板１の端部に一列に配置した複数のチップ３のガラス基板１端面側の側面を結んだ線（Ａ−Ａ）よりも内側のガラス基板１上、ここでは、各チップ３のＦＰＣ接続用ピン４−２が線（Ａ−Ａ）と接触するよう構成されている。線（Ａ−Ａ）の外側には、ガラス基板１の面取り部１３が存在するだけである。共通配線１１の数は、通常、チップ３のＦＰＣ接続用ピン４−２の数と同じ、ここではＦＰＣ接続用ピン４−２が１７本であるため、共通配線１１の数は１７本である。
【００１２】
次に、図１に示す例では、共通配線１１とチップ３のＦＰＣ接続用ピン４−２とを、チップ３の下で接続する。図２は本発明における共通配線１１とチップ３のＦＰＣ接続用ピン４−２との接続の一例を説明するための図である。図２に示す例では、チップ３はそれが実装される位置を点線で示されるとともに、共通配線１１およびチップ３のＦＰＣ接続用ピン４−２との数はそれぞれ８本とする。図２に示す例において、チップ３を実装した場合チップ３のＦＰＣ接続用ピン４−２と各別に接触する８個の接続端子５を、各別に、８本の共通配線１１と８本の配線１２を介して接続している。
【００１３】
共通配線１１、配線１２の材質としては液晶表示部の配線と同じプロセスで利用できるもの例えばＭｏＷやＡｌが好ましい。いずれも、ガラス基板１上に表示部の配線部分と同時に印刷して形成することができる。配線１２と共通電極１１とが交差する箇所のうち接続点以外の交差部では、配線１２と共通配線１１との間に絶縁層を形成して電気的に絶縁する。このようにして、印刷技術で形成した共通配線１１と配線１２そのものおよび接続点は、接続端子同士を接触させた従来の接続に比べて、信頼性を高くすることができる。
【００１４】
さらに、図１に示す例では、共通配線１１とＦＰＣ８とを、共通配線１１上に２カ所設けたＦＰＣ用接続端子７（７−１、７−２）を利用して接続している。すなわち、図１に示す例では、チップ３とチップ３との間の共通配線１１をカラーフィルター２側へ屈曲させた部分に、それぞれ１カ所合計で２カ所のＦＰＣ用接続端子７−１、７−２を形成する。ＦＰＣ用接続端子７は所定数だけガラス基板１上に設ける。そして、２カ所のＦＰＣ用接続端子７−１と７−２での接続で共通配線１１とＦＰＣ８とが重複しないようにして接続する。ここで、重複しないようにしてとは、例えば図２を例にとって説明すると、仮にＦＰＣ用接続端子７−１の部分で共通配線１１（０）〜１１（７）のうち共通配線１１（０）〜１１（４）の接続部分を形成した場合は、ＦＰＣ用接続端子７−２の部分では共通回線１１（４）〜１１（７）の端子を形成すればよいことをいう。すなわち、全体として、共通配線１１とＦＰＣ８とが接続できれば良い。また、ＦＰＣ用接続端子７の各パッドとＦＰＣ８との接続には、従来から知られているＡＣＦ接続技術を好適に使用することができる。
【００１５】
図１および図２に示す例では、チップ３のＦＰＣ接続用ピン４−２をガラス基板１の端部実質的には端部の面取り部１３と接触させて設けることができるため、液晶表示パネルの狭額縁化を達成することができる。また、共通配線１１とＦＰＣ８とを、共通配線１１上に少なくとも１カ所図１の例では２カ所設けたＦＰＣ用接続端子７（７−１、７−２）のみを利用して接続できるため、接続端子を利用した接続箇所の数を共通配線１１の数のみと少なくすることができ、接続の信頼性を高めることができる。また、この場合は、２つのＦＰＣ用接続端子７（７−１、７−２）を利用して共通配線１１とＦＰＣ８とを接続しても、各ＦＰＣ用接続端子７−１または７−２における接続端子の数は共通配線１１全体を１つのＦＰＣ用接続端子７で接続した場合と比べて少なくでき、チップ３とチップ３との間隔を狭くすることができる。
【００１６】
図３は本発明のＣＯＧ構造の液晶表示装置におけるチップとＦＰＣとの接続方法の他の例を示す図である。図３に示す例において、図１に示した部材と同一の部材には同一の符号を付し、その説明を省略する。図３に示す例において、図１に示す例と異なる点は、ＦＰＣ用接続端子７を利用した共通配線１１とＦＰＣ８との接続を、ガラス基板１上であって最端部のチップ３（Ｅ）の外側１カ所で行った点である。本例では、１つのＦＰＣ用接続端子７しか使用しないため、ＦＰＣ用接続端子７で必要とする端子は共通配線１１の数だけ必要だが、このチップ３（Ｅ）の外側の部分は狭額縁化しても余裕のある部分のため問題とならない。本例では、チップ３とチップ３との間には共通配線１１しか存在しないため、図１に示す例に比べてチップ３とチップ３との間隔を狭くすることができ、より一層の小型化を達成できる。
【００１７】
なお、上述した実施例では、共通配線１１とＦＰＣ８とを接続するＦＰＣ用パッド７が２カ所の例（図１）と１カ所の例（図３）しか説明しなかったが、ＦＰＣ用接続端子７の数はそれ以上任意の数であっても本発明が達成できることはいうまでもない。本発明では、ＦＰＣ用接続端子７の数が増えればそれに応じて１つのＦＰＣ用接続端子７で接続する端子の数は少なくなるため、１つ１つのＦＰＣ用接続端子７の幅を小さくすることができる。また、チップ３のピン４−１、４−２の数や接続端子５−１、５−２の数も上述した実施例に限定されるものでないことはいうまでもない。
【００１８】
【発明の効果】
以上の説明から明らかなように、本発明によれば、チップと外部の装置との接続をするためのチップとＦＰＣとの接続を、複数のチップの共通配線をガラス基板上に設け、その共通配線に対し、少なくとも１カ所でＦＰＣを接続する構造をとっているため、従来ガラス基板端部に必ず必要であったＦＰＣ接続用接続端子設ける必要がなくなり、その分狭額縁化を達成できる。また、チップとＦＰＣとの接続を少なくとも１カ所で行っているため、接続端子を利用した接続箇所を少なくでき、接続の信頼性を高めることができる。
【図面の簡単な説明】
【図１】本発明のＣＯＧ構造の液晶表示装置におけるチップとＦＰＣとの接続方法の一例を示す図である。
【図２】本発明における共通配線とチップのＦＰＣ接続用ピンとの接続の一例を説明するための図である。
【図３】本発明のＣＯＧ構造の液晶表示装置におけるチップとＦＰＣとの接続方法の他の例を示す図である。
【図４】従来のＣＯＧ構造の液晶表示装置におけるチップとＦＰＣとの接続方法の一例を示す図である。
【符号の説明】
１  ガラス基板、２  カラーフィルター、３  チップ、４−１  ＴＦＴ接続用ピン、４−２  ＦＰＣ接続用ピン、５  接続端子、６  配線、７、７−１、７−２ＦＰＣ用接続端子、８  ＦＰＣ、１１  共通配線、１２  配線、１３  面取り部
【図１】
0004381498.tif 000002
【図２】
0004381498.tif 000003
【図３】
0004381498.tif 000004
【図４】
0004381498.tif 000005